(57)【特許請求の範囲】
【請求項１】
用紙に画像を記録する画像記録部と、原稿面を読み取り画像データを取得する画像読取
部とが下からこの順番で積み重ねて配列され、前記画像読取部と前記画像記録部とで画定
される開放空間内に配置された排紙トレイ上に多数枚の記録済用紙が集積され、
前記排紙トレイの上方領域に少なくとも一つ以上設けられるとともに前記排紙トレイ上
に排紙される記録済用紙を上側から押える紙押部材と、前記画像読取部の底面に形成され
るとともに前記紙押部材の先端部が自重により前記排紙トレイの上面に近接又は接触する
ように前記紙押部材の基端部を角度変位可能に支持する支持部とを備えた、画像形成装置
において、
前記紙押部材の基端部の取付軸が前記支持部に形成された軸孔に挿通されることにより
、前記紙押部材が前記支持部に支持され、
前記紙押部材が自重により傾いた状態においてのみ、前記紙押部材に作用する外力に抗
して前記取付軸が前記軸孔から抜けることを防止する抜止手段をさらに備え、
前記紙押部材は基端部側に行くに従い間隔が拡がる二股状脚部を有し、この各脚部に前
記取付軸が外側に突出して形成され、
前記軸孔が形成された支持部は二つあって、前記画像形成装置の正面手前側と奥側とに
間隔を開けて配列されており、前記二股状脚部間の撓み弾性力によって各脚部の取付軸が
各支持部の軸孔に保持され、
前記抜止手段は、前記取付軸の形成位置よりもさらに基端側に前記脚部から延在する延
在片と、前記画像読取部の底面から垂下する邪魔片との組み合わせである、ことを特徴と
する画像形成装置。
【請求項２】
請求項１に記載の画像形成装置において、
前記開放空間は少なくとも画像形成装置の正面手前側に開放しており、
前記抜止手段は、前記二つの支持部のうち手前側の支持部に対してのみ設けられている
、ことを特徴とする画像形成装置。
【請求項３】
請求項１に記載の画像形成装置において、
前記邪魔片は前記支持部よりも奥側に設けられている、ことを特徴とする画像形成装置
。
【請求項４】
請求項１に記載の画像形成装置において、
前記紙押部材には、弾性を有するとともに前記２つの脚部を連結する弾性連結部が形成
され、
該弾性連結部は、前記２つの脚部を自然姿勢より互いに近づく向きに撓ませた際に前記
２つの脚部を互いに離反する向きに弾力付勢する、ことを特徴とする画像形成装置。
【請求項５】
請求項１〜４のいずれか一つに記載の画像形成装置において、
前記紙押部材はフレーム状の合成樹脂の一体成型品であって、その先端部が肉付けされ
ている、ことを特徴とする画像形成装置。
【請求項６】
請求項１〜５のいずれか一つに記載の画像形成装置において、
排出される記録済用紙を、前記排紙トレイの正面手前側位置と正面奥側位置との少なく
とも２つの位置にずらして排出するシフト排紙手段をさらに備えた、ことを特徴とする画
像形成装置。
【請求項７】
請求項６に記載の画像形成装置において、
前記シフト排紙手段は、前記画像記録部の内部に配設された排紙ローラ対を含む、こと
を特徴とする画像形成装置。
【請求項８】
請求項１〜７のいずれか一つに記載の画像形成装置において、
前記排紙トレイの上面には、前記紙押部材が傾いた状態においてその先端部が収容され
る、下向きに凹んだ凹所が形成されている、ことを特徴とする画像形成装置。
【請求項９】
請求項１又は２に記載の画像形成装置において、
前記紙押部材の延在片は、前記紙押部材が傾いた姿勢において前記画像読取部の底面に
臨む側を少なくとも切り欠いた形状を有している、ことを特徴とする画像形成装置。
【発明の詳細な説明】
【技術分野】
【０００１】
本発明は、用紙に画像を記録する画像記録部と、原稿面を読み取り画像データを取得する画像読取部とが下からこの順番で積み重ねて配列され、少なくとも画像記録部と画像読取部とで画定される開放空間内に配置された排紙トレイ上に、多数枚の記録済用紙が集積される画像形成装置に適用し得る。
本発明は、画像記録部から排紙される記録済用紙をその幅方向に適宜にずらすことにより、多数枚の記録済用紙が仕分状態で排紙トレイ上に集積される画像形成装置に、特に好適に適用し得る。
【背景技術】
【０００２】
画像記録部と画像読取部とが下からこの順番で積み重ねて配列され、これら各部により画定される開放空間内に排紙トレイを配置し、この排紙トレイ上に多数枚の記録済用紙が集積される、いわゆる胴内排紙型の画像形成装置が、例えば特許文献１（特開２００３−８１５１５号公報）により公知である。この画像形成装置では、画像記録部に電子写真方式を採用しており、定着器により用紙に熱と圧力とが与えられて用紙にトナー画像が定着される。
【０００３】
定着器は用紙の画像形成面側から熱を与えることが一般的であるため、用紙の画像形成面側において特に水分が蒸発し、その結果、排出される記録済用紙にカールが生じる。カールした記録済用紙が何らの規制無しに排紙トレイ上に排紙されると、排紙トレイ上で記録済用紙が散乱し、又は頁順序が入れ替わるなどの不都合が生じる。この問題に対処するべく、特許文献１では、画像読取部の底面にシート押さえ（ペーパーウェイト）を取り付け、排紙トレイ上に排紙されてきた記録済用紙を上側から押えながら記録済用紙を排紙トレイ上に排紙して、記録済用紙の集積性の向上が図られている。
【０００４】
一方、画像記録部から排紙される記録済用紙をその幅方向に適宜にずらすことにより、多数枚の記録済用紙を仕分状態で排紙トレイ上に集積するプリンタが、例えば特許文献２（特開２００４−５９２９９号公報）により公知である。このプリンタでは、記録済用紙を排紙トレイに排紙する排紙ローラをその軸方向に往復させることにより、排紙トレイ上に集積される記録紙済用紙を束単位でずらして仕分けしている。
【０００５】
このような排紙トレイ上で記録済用紙を束単位で仕分けして集積する機能を持つプリンタでは、その機能を充分に利用するために、排紙トレイ上で記録済用紙が散乱しないことが特に重要である。したがって、特許文献１の画像形成装置の画像記録部として特許文献２のプリンタを適用すれば、仕分けされる記録済用紙をペーパーウェイトが上から押えながら排紙するので、散乱することがなく、記録済用紙の仕分け機能を効果的に活用し得る。
【先行技術文献】
【特許文献】
【０００６】
【特許文献１】特開２００３−８１８１５号公報
【特許文献２】特開２００４−５９２９９号公報
【発明の概要】
【発明が解決しようとする課題】
【０００７】
ペーパーウェイトは、画像読取部、画像記録部及び給紙部を相互に組み合わせた後に取り付けられるものであり、組立作業者はこれら各部により画定される解放空間に外側から手を入れて、ペーパーウェイトを画像読取部の底面に取り付ける。このため、画像形成装置をその全体高さを抑えたレイアウトとすると、必然的に開放空間の高さも制限され、ペーパーウェイトの取付作業が難しくなる。したがって、ペーパーウェイトには、その取付作業の容易さが要求される。
【０００８】
他方、画像形成装置の使用者は、解放空間に手を入れて排紙トレイに集積された記録済用紙を取り出すことから、その際に使用者の手がペーパーウェイトに当然に接触する。ペーパーウェイトが容易に外れるものとすると、接触の都度ペーパーウェイトが外れてしまい、使用者に面倒を強いる。このため、少なくとも画像形成装置の通常の使用環境下においては、使用者が開放空間に手を入れペーパーウェイトに当たったとしても容易に外れないことが要求される。
【０００９】
従って、本発明の目的は、画像記録部と画像読取部とが下からこの順番で積み重ねて配列され、これら各部により画定される開放空間内に排紙トレイを配置し、この排紙トレイ上に多数枚の記録済用紙が集積される画像形成装置において、ペーパーウェイトを簡便に取り付け可能であるとともに、その通常の使用環境下においてペーパーウェイトが外れ難い画像形成装置を提供することである。
【課題を解決するための手段】
【００１０】
本発明の好ましい態様の画像形成装置では、用紙に画像を記録する画像記録部と、原稿面を読み取り画像データを取得する画像読取部とが下からこの順番で積み重ねて配列され、前記画像記録部と前記画像読取部とで画定される開放空間内に配置された排紙トレイ上に多数枚の記録済用紙が集積される。この画像形成装置は、前記排紙トレイの上方領域に少なくとも一つ以上設けられるとともに前記排紙トレイ上に排紙される記録済用紙を上側から押える紙押部材と、前記画像読取部の底面に形成されるとともに前記紙押部材の先端部が自重により前記排紙トレイの上面に近接又は接触するように前記紙押部材の基端部を角度変位可能に支持する支持部とを備えている。画像形成装置は、前記紙押部材の基端部の取付軸が前記支持部に形成された軸孔に挿通されることにより前記紙押部材が前記支持部に支持され、前記紙押部材が自重により傾いた状態においてのみ、前記紙押部材に作用する外力に抗して前記取付軸が前記軸孔から抜けることを防止する抜止手段をさらに備えている。
また、前記紙押部材は基端部側に行くに従い間隔が拡がる二股状脚部を有し、この各脚部に前記取付軸が外側に突出して形成される。前記軸孔が形成された支持部は二つあって、前記画像形成装置の正面手前側と奥側とに間隔を開けて配列されており、前記二股状脚部間の撓み弾性力によって各脚部の取付軸が各支持部の軸孔に保持される。
さらに、前記抜止手段は、前記取付軸の形成位置よりもさらに基端側に前記脚部から延在する延在片と、前記画像読取部の底面から垂下する邪魔片との組み合わせである。前記邪魔片は前記支持部よりも奥側に設けられていることが好ましく、特に、紙押部材は略水平姿勢においてのみ前記支持部に取り付け取り外しが可能である。
【００１１】
前述の好ましい態様に従うと、記録済用紙が傾いた状態の紙押部材により上から押さえられながら開放空間内の排紙トレイに排紙されるので、例えば画像記録部が定着装置を備えた電子写真プリンタであって記録済用紙にカールが発生していたとしても、排紙トレイ上で記録済用紙が散乱せず整然と集積される。そして、紙押部材が傾いた状態、つまり画像形成装置の通常の使用態様において、集積された記録済用紙を取り出すために使用者が開放空間内に手を入れ、その際に紙押部材に手が当たったとしても、抜止手段により支持部から取付軸が抜けることが防止されている。したがって、紙押部材が外れず使用者に煩雑さを強いることがない。また、抜止手段がその抜止作用を発揮するのは紙押手段が傾いた状態においてのみであるから、それ以外の状況、例えば紙押部材の取付軸を支持部に挿通する作業の際には邪魔になることなく取付作業の容易さが確保されている。
また、画像形成装置の組立作業者は、２つの脚部を近づけるように撓ませてから取付軸を支持部の軸孔に挿通するだけよい。二股状脚部間の撓み弾性力により紙押部材は支持部に保持されるので、取付作業が容易である。
さらに、紙押部材が自重により傾いた状態において、画像読取部底面から垂下する邪魔片と紙押部材の脚部から延在する延在片とが、画像形成装置の正面視において干渉することによって紙押部材の外れが阻止される。そして、邪魔片は支持部よりも奥側に配列されているので、使用者の手が正面手前側の脚部に当たったとしても、延在片が邪魔片に干渉して紙押部材の外れが阻止される。
【００１４】
本発明のさらに好ましい態様では、前記開放空間は少なくとも画像形成装置の正面手前側に開放しており、前記抜止手段は、前記二つの支持部のうち手前側の支持部に対してのみ設けられている。
【００１５】
前述のさらに好ましい態様に従うと、排紙トレイが設けられる開放空間が画像形成装置の正面側に開放しているので、使用者は排紙トレイ上に集積された記録済用紙を装置正面からアクセスして取り出すことになる。この取り出し時に、使用者の手は紙押部材の正面手前側にのみ当接するから、抜止手段を手前側の支持部にのみ対応して設けておくだけで紙押部材は外れない。そして、正面奥側に抜止手段が設けられないため、紙押部材の取付作業の邪魔にもならない。
【００１８】
本発明のさらに好ましい態様では、前記紙押部材には弾性を有するとともに前記２つの脚部を連結する弾性連結部が形成され、該弾性連結部は、前記２つの脚部を自然姿勢より互いに近づく向きに撓ませた際に前記２つの脚部を互いに離反する向きに弾力付勢する。
【００１９】
前述のさらに好ましい態様に従うと、弾性連結部の撓み弾性力によって、２つの脚部が対応する支持部に強く押し付けられるので、紙押部材の取り付け作業が簡便で、且つ容易に外れない。
【００２０】
本発明のさらに好ましい態様では、前記紙押部材はフレーム状の合成樹脂の一体成型品であって、その先端部のみが肉付けされている。
【００２１】
前述のさらに好ましい態様に従うと、紙押部材はフレーム状の合成樹脂の一体成型品であって全体として軽量であるから、記録済用紙は排出されながら紙押部材を押し上げてその下に潜り込むことができるとともに、先端部が肉付けされて重くなっているので、記録済用紙の押圧作用をしっかりと得ることができる。
【００２２】
本発明のさらに好ましい態様では、排出される記録済用紙を、前記排紙トレイの正面手前側位置と正面奥側位置との少なくとも２つの位置にずらして排出するシフト排紙手段をさらに備える。さらに、前記シフト排紙手段は、前記画像記録部の内部に配設された排紙ローラ対であることが好ましい。
【００２３】
前述のさらに好ましい態様に従うと、排紙ローラ対により、排出される記録済用紙が正面手前側位置と奥側位置との少なくとも２つの位置にずらして排出して仕分けする際に、記録済用紙が排紙トレイ上で散乱することがなく、仕分け機能を効果的に活用し得る。
【００２４】
本発明のさらに好ましい態様では、前記排紙トレイの上面には、前記紙押部材が傾いた状態においてその先端部が収容される、下向きに凹んだ凹所が形成されている。さらに、前記紙押部材の延在片は、前記紙押部材が傾いた姿勢において前記画像読取部の底面に臨む側面に切欠を有していることが好ましい。
【００２５】
前述のさらに好ましい態様に従うと、画像記録部と画像読取部と画定されるような狭い開放空間内に排紙トレイと紙押部材とを設置しているが、紙押部材の先端部が排紙トレイ上面に形成された下向きに凹んだ凹所に収容されるので、紙押部材は充分な傾斜角度で傾くことができる。また、前記紙押部材の延在片は、前記紙押部材が傾いた姿勢において前記画像読取部の底面に臨む側を少なくとも切り欠いた形状を有しているので、紙押部材の傾斜が緩やかなままで延在片が画像読取装置の底面に接触しない。したがって、紙押部材は、排出される記録済用紙をしっかりと上から押えることができる。
【発明の効果】
【００２６】
以上に説明した通り、本発明によると、画像記録部と画像読取部とが下からこの順番で積み重ねて配列され、これら各部により画定される開放空間内に排紙トレイを配置し、この排紙トレイ上に多数枚の記録済用紙が集積される画像形成装置において、紙押部材を簡便に取り付け可能であり、且つその通常の使用環境下において紙押部材が容易に外れない、という効果を達成し得る。
【図面の簡単な説明】
【００２７】
【図１】本発明の一実施形態を説明するための要部分解斜視図である。
【図２】本発明の一実施形態の画像形成装置の正面外観図である。
【図３】本発明の一実施形態を説明するための要部斜視図である。
【図４】本発明を構成する紙押部材の一例を示しており、（ａ）は表面図、（ｂ）は側面図、（ｃ）は裏面図である。
【図５】本発明を構成する紙押部材の他例を示しており、（ａ）は表面図、（ｂ）は側面図、（ｃ）は裏面図である。
【図６】本発明の一実施形態を説明するための要部拡大図である。
【図７】本発明を構成するシフト排紙手段の一例を示す斜視図である。
【発明を実施するための形態】
【００２８】
以下、図面を適宜に参照しつつ本発明の好適な実施形態を説明する。図２は、本発明を好適に適用した画像形成装置の一例を示す正面図であり、コピー・ファクシミリ複合機（以下、複合機）１として具現されている。複合機１は、多数枚の用紙が重ねて収容される給紙部４と、用紙に画像を記録する画像記録部３と、原稿面を読み取り画像データを取得する画像読取部２とが下からこの順番で積み重ねて配列されている。画像記録部３及び画像読取部２によって、少なくとも装置正面（図２において紙面手前）に開放した開放空間５が画定されている。なお、本実施形態では、開放空間５は装置正面のみならず左側面にも開放されている。
【００２９】
給紙部４は、画像記録部３に向けて用紙を送り出すものであり、図２では上下２段の給紙カセット４ａ、４ｂを積み重ねた例を示している。各給紙カセット４ａ，４ｂ内に、多数枚の用紙が重ねて収容される。
【００３０】
画像読取部２は、フラットベットスキャナ及びオートドキュメントフィードスキャナとして機能するものであって、矩形箱状のスキャナ筐体１４と、その上に載置される自動原稿搬送装置１５を有する。スキャナ筐体１４内には、原稿面の画像を電子データに変換する光学系部品などが収容される。
【００３１】
上段給紙カセット４ａの上であってスキャナ筐体１４の下に、電子写真方式の画像記録部３が配設される。画像記録部３は、正面視で横向きＬ字状のプリンタ筐体１２を有し、このプリンタ筐体１２に、図２に破線で示す用紙搬送路１３に沿って、感光体ドラム６，現像ローラ７，転写ローラ８，定着ローラ９，押圧ローラ１０及び排紙ローラ対１１が内蔵されている。
【００３２】
画像記録プロセスを簡単に説明すると、トナーを保持した現像ローラ７から静電潜像が形成された感光体ドラム６上にトナーが移転され、電圧印加された転写ローラ８が感光体ドラム６上のトナー像を用紙搬送路１３内で搬送される用紙に移転する。定着ローラ９及び押圧ローラ１０は、トナー像を保持した用紙を挟んで送りながら熱と圧力とを付与し、用紙上にトナー像が定着される。トナー像が定着した記録済用紙は、排紙ローラ対１１により、画像記録部３外の開放空間５に向けて排紙される。本実施形態の画像記録部３では、用紙搬送路１３は略縦向きに延び、感光体ドラム６と開放空間５とが用紙搬送路１３を基準として同じ側（図２において左側）に配列されているから、記録済用紙はその画像形成面を下向きにして開放空間５に排出される。すなわち、本実施形態の複合機１は、フェイスダウン排紙方式を採用している。
【００３３】
開放空間５の下部、つまり画像記録部３の上面の一部が排紙トレイ１６として機能し、この排紙トレイ１６上に排紙された記録済用紙が集積される。排紙トレイ１６の記録済用紙の載置面は、排紙ローラ対１１の配設高さよりも一段低い位置にあり、排紙方向下流側（図２において左側）に向かうにつれて徐々に高くなる傾斜面である。それ故に、排紙トレイ１６上に排紙された記録済用紙は、自重により傾斜面を滑って開放空間５に臨むプリンタ筐体１２の縦壁に突き当たり整列される。
【００３４】
開放空間５上部、つまりスキャナ筐体１４の底面と排紙トレイ１６の載置面との間に、二つの第１及び第２の紙押部材１７，１８が排紙方向に互いに離れて設けられる。紙押部材１７，１８はいずれも、排紙トレイ１６上に排紙されている記録済用紙を上から押える機能を奏するものであって、排紙方向上流側（図２において右側）の第１の紙押部材１７は、ＩＳＯ規格Ａ５サイズ用紙、ハーフレターサイズ用紙又はそれ以下のサイズの用紙に対応するために設けられ、排紙方向下流側（図２において左側）の第２の紙押部材１８は、ＩＳＯ規格Ａ４サイズ用紙、レターサイズ用紙などのＩＳＯ規格Ａ５サイズ用紙以上のサイズの用紙に対応するために設けられている。但し、本発明はこれらのサイズの用紙に対応することに限定されず、当然にＢ４，Ａ３などのさらに大きい定型サイズに対応して紙押部材を設けることもできる。
【００３５】
複合機１では、画像記録部３として電子写真方式を採用しているため、記録済用紙にカールが生じることは不可避の問題であるが、この複合機１では前記したように紙押部材１７，１８が記録済用紙を上から押えながら排紙するので、たとえ記録済用紙にカールが生じていたとしても、それらは排紙トレイ１６上で散乱せず、また傾斜面による整列作用と相俟って整然と集積される。なお、排紙トレイ１６及び２つの紙押部材１７，１８の詳細は、後述する。
【００３６】
さらに、複合機１は、排紙トレイ１６上に排紙される記録済用紙を、その用紙幅方向（図２の紙面に垂直方向）にずらして、正面手前（図２において紙面手前側）と正面奥との少なくとも２つの位置に仕分けするシフト排紙手段１９を有し、これは記録済用紙を例えば印字ジョブ毎又は部数単位に仕分け得る。図７は、このシフト排紙手段１９の一例の斜視図である。
【００３７】
シフト排紙手段１９は、上下一対の排紙ローラ対１１を有し、下側の排紙ローラ２１が図示しない駆動源から回転動力が与えられて積極回転し、下側の排紙ローラ２１に接触する上側の排紙ローラ２０がこれに従動回転して、記録済用紙が送られる。これら一対の排紙ローラ対１１がその軸端部において連結部材２２により一体的に連結され、かかる連結部材２１にはローラの軸方向に平行に延びて往復するラックギア２３が固定されている。ラックギア２３に本体ブラケットに回転自在に支持されたピニオンギア２４が噛み合い、このピニオンギア２４にモータやロータリーソレノイドなどの回転駆動源２５が回転動力を与える。
【００３８】
回転駆動源２５が正逆の回転動力をピニオンギアを介してラックギア２３与えると、ラックギア２３が往復し、排紙ローラ対１１が軸方向に往復する。こうして、排紙ローラ対１１は、正面手前と奥との２つの位置に仕分けして記録紙を排紙し得る。本実施形態の複合機１では、装置全体の奥行きサイズを抑える目的で、正面手前位置と奥位置との仕分け距離としておおよそ１インチ（約３センチ）しか確保していないため、排紙トレイ１６上に記録済用紙が散乱すると折角の仕分け機能が無益であるが、前述したように第１及び第２の紙押部材１７，１８が記録済用紙を上から押えながら記録済用紙が排紙されるので、記録済用紙は散らばることなく整然と集積され、仕分け機能が十分に活用し得る。
【００３９】
複合機１の使用者は、装置正面から開放空間５に手を入れて排紙トレイ１６上に集積された記録済用紙を取り出すが、その際に使用者の手が第１及び第２の紙押部材１７，１８に接触することがある。それ故に、紙押部材１７，１８は使用者の手が当たった程度では、容易に外れないことが要求される。また、複合機１の組立作業者は、正面又は側面の開口部から手を入れて第１及び第２の紙押部材１７，１８を取り付けるが、複合機１が卓上使用を目的とした高さを抑えたコンセプトとすると開口部の高さを十分に確保できないため、取付作業の容易さが要求される。
【００４０】
本実施形態の第１及び第２の紙押部材１７，１８、排紙トレイ１６及びその周辺構造では、前記の相反する二つの要求を同時に満たしており、以下その詳細について、図１及び図３〜図６を適宜に参照して説明する。図１は、スキャナ筐体１４、排紙トレイ１６、第１及び第２の紙押部材１７，１８が表された分解斜視図であり、図３はその要部のみを表す組立斜視図である。図４は、第１の紙押部材１７を表す図であり、（ａ）は平面図、（ｂ）は側面図、（ｃ）は底面図である。
図５は、第２の紙押部材１８を表す図であり、（ａ）は平面図、（ｂ）は側面図、（ｃ）は底面図である。図６は、第１の紙押部材１７の取付態様を拡大して示す図である。
【００４１】
図１を参照して、画像読取部２のスキャナ筐体１４の底面には、やや正面手前よりの位置に支持部としての略三角板状の取付ブラケット２６ａ〜２６ｄ（以下、総称する際は単に取付ブラケット２６と記す）が４つ垂下して設けられている。取付ブラケット２６は一対で紙押部材１７，１８を支持する機能を成し、一対２６ａ，２６ｂが排紙方向上流側に位置されて第１の紙押部材１７をその基端部において角度変位可能に支持し、他の一対２６ｃ，２６ｄが排紙方向下流側に位置されて第２の紙押部材１８をその基端部において角度変位可能に支持する。各対の取付ブラケット２６はいずれも、複合機１の正面手前と奥とに間隔を開けて配列されている。各取付ブラケット２６にはその板厚方向に貫通した軸孔が形成され、この軸孔に第１及び第２の紙押部材１７，１８の取付軸３５が緩やかに挿通されて支持される。
【００４２】
図１及び図６を参照して、各一対の取付ブラケット２６の間で且つ正面手前側の取付ブラケット２６ａ，２６ｃ寄りの位置に、抜止手段の一要素としての邪魔片２８ａ，２８ｂ（以下、総称する際は単に邪魔片２８と記す）がスキャナ筐体１４の底面から垂下して設けられている。邪魔片２８は、排紙方向に長辺を持つ矩形板であり、その下端辺が取付ブラケット２６の軸孔よりも高い位置に配列されている。したがって、第１及び第２の紙押部材１７，１８の取付軸３５を軸孔に挿通する作業は、邪魔片２８によって阻害されない。
【００４３】
排紙トレイ１６において、その記録済用紙の載置面４３側に、上向きに突出した傾斜凸部２９が、載置面４３の排紙方向全長に亘り且つ前後方向に所定の幅を持って配列されている。この傾斜凸部２９の上面は、排紙方向下流側で最も高く上流側で最も低い緩やかな傾斜面３０とされ、この傾斜面３０上に前後方向に間隔を開けて且つ排紙方向に平行に延びる２本のリブ３１が上向きに突出形成されている。この傾斜面３０上に、排紙方向上流側の前記一対の取り付けブラケット２６ａ，２６ｂの配設位置よりも排紙方向においてやや下流側位置に下向きに凹んだ第１の凹所３２が略半球形状に穿設され、排紙方向下流側の前記一対の取付ブラケット２６ｃ，２６ｄの配設位置よりも排紙方向においてやや下流側位置に下向きに凹んだ第２の凹所３３が略半球形状に穿設されている。
【００４４】
排紙トレイ１６上に記録済用紙が存在しない状況下では、自重により、第１の紙押部材１７の先端部３７ａが第１の凹所３２に近接又は接触して入り込み、第２の紙押部材１８の先端部３７ｂが第２の凹所３３に近接または接触して入り込む。以上に説明した各部の配列関係により、通常の使用態様においては、第１及び第２の紙押部材１７，１８はいずれも、基端部が排紙方向上流側で上方位置に位置し、先端部が排紙方向下流側で下方位置に位置する傾斜姿勢を取り、こうして第１及び第２の紙押部材１７，１８は、スキャナ筐体１４の底面２７に対して十分な傾斜角度を得る。
【００４５】
図４を参照して、第１の紙押部材１７は、全体として薄い長尺のフレーム体であって、比較的柔らかく且つ軽量な剛性樹脂、本実施形態ではポリプロピレン（ＰＰ）を素材とした一体成型品である。なお、第１の紙押部材１７の素材は、ポリプロピレンに限られず、例えばポリスチレン（ＰＳ）、ポリエチレン（ＰＥ）又はポリ塩化ビニル（ＰＶＣ）などの安価で軽く柔らかな剛性樹脂であればよい。
【００４６】
この第１の紙押部材１７は、スキャナ筐体１４の底面２７に取り付けられた態様では傾斜した姿勢を取るが、その姿勢では図４（ａ）に示す表面がスキャナ筐体１４の底面に臨み、図４（ｃ）に示す裏面が排紙トレイ１４の載置面に臨む。故に、第１の紙押部材１７は裏面が記録済用紙に接触して上から押えることになる。この第１の紙押部材１７は、先細りし且つ肉付けされた先端部３７ａと、二股状脚部３４ａ，３４ａと、両脚部３４ａ，３４ａを連結する弾性連結部３６ａと、を主な構成要素とする。
【００４７】
細い脚部３４ａ，３４ａは、先端部３７ａの付け根に連なり基端側（図４の上側）に徐々に拡がるように離間している。各脚部３４ａの基端部の外側面に、側面視で十字状の取付軸３５ａが外向きに突出形成され、この取付軸３５ａは取付ブラケット２６の軸孔に挿通される。各脚部３４ａには、取付軸３５ａの形成位置よりもさらに基端側（図４の上側）に延在片３８ａが延在して形成され、この延在片３８ａと前述の邪魔片２８ａとの組み合わせが抜止手段として機能する。延在片３８ａの端部は、第１の紙押部材１７が傾いた姿勢においてスキャナ筐体１４の底面２７に臨む側を少なくとも切り欠いた先細り形状となっている。
【００４８】
弾性連結部３６ａは、取付軸３５ａの配設位置よりもやや先端寄りの位置で、両脚部３４ａ，３４ａの対向面同士を連結する。この弾性連結部３６ａは、基端側（図４の上側）に凸となる湾曲形状を有する。そして、弾性連結部３６ａの湾曲していない箇所に導入突起３９ａが基端側に向けて突出形成され、この導入突起３９ａの端辺は長手方向に垂直な方向に関して平行でない。従って、第１の紙押部材１７には、排紙方向（第１の紙押部材１７の長手方向）に垂直な端辺が全体として存在しないため、記録済用紙の端辺と第１の紙押部材１７とが線接触せず記録済用紙が痛まない。なお、導入突起３９ａの裏面つまり記録済用紙が接触する面には、排紙方向（長手方向）に平行なリブが形成され記録済用紙との摩擦軽減も図られている。
【００４９】
前記構造を有する第１の紙押部材１７の取付手順を説明すると、組立作業者は、第１の紙押部材１７の両脚部３４ａ，３４ａを自然姿勢より互いに近づけるように撓ませ且つ水平姿勢を保ったまま、取付軸３５ａ，３５ａをそれぞれ対応する取付ブラケット２６の軸孔に挿通するだけで良い。さすれば、両脚部３４ａ，３４ａの撓み弾性力と弾性連結部３６ａの持つ弾性付勢力とにより、両脚部３４ａ，３４ａは取付ブラケット２６に内側から強く押し付けられて保持される。すると、第１の紙押部材１７は自重により取付軸３５ｂ周りに傾動し、その先端部３７ａが第１の凹所３２内に位置する。前述したように、第１の紙押部材１７の延在片３８ａが先細形状とされているので、画像読取部２の底面２７に対して十分に大きな角度で傾く。したがって、排紙される記録済用紙は第１の紙押部材１７の下に確実に潜り込むことができ、さらに第１の紙押部材１７は軽量なフレーム体であるから記録済用紙は第１の紙押部材１７を押し上げて排紙方向に進む。その結果、第１の紙押部材１７は排紙される記録済用紙を十分な力で上から押えることができる。
【００５０】
この第１の紙押部材１７が傾いた姿勢では、正面視で、邪魔片２８と延在片３８ａとが前後に重なり合う。こうして、使用者が、排紙トレイ１６上に集積された記録済用紙に正面開口から開放空間５に手をいれてアクセスし、その手が第１の紙押部材１７に当たって奥側に押したとしても、邪魔片２８と延在片３８ａとが干渉して、軸孔から取付軸３５ａが容易に抜け落ちない。
【００５１】
図５を参照して、第２の紙押部材１８は、比較的柔らかく且つ軽量な剛性樹脂、本実施形態ではポリプロピレン（ＰＰ）を素材とした一体成型品である。なお、第２の紙押部材１８の素材は、ポリプロピレンに限られず、例えばポリスチレン（ＰＳ）、ポリエチレン（ＰＥ）又はポリ塩化ビニル（ＰＶＣ）などの安価で軽く柔らかな剛性樹脂であればよい。
【００５２】
この第２の紙押部材１８は、スキャナ筐体１４の底面２７に取り付けられた態様では傾斜した姿勢を取るが、図５（ａ）に示す表面がスキャナ筐体１４の底面に臨み、図５（ｃ）に示す裏面が排紙トレイ１４の載置面に臨む。故に、第２の紙押部材１８は裏面が記録済用紙に接触して上から押えることになる。第２の紙押部材１８の先端裏側には補強用ために横リブ４２及び縦リブ４１が形成されているが、このうち排紙方向に平行な縦リブ４２が横リブ４２よりも突出しているため、縦リブ４２のみが記録済用紙の上に接触する。したがって、記録済用紙の端辺と第１の紙押部材１８とがほとんど線接触せず記録済用紙が痛まない。
【００５３】
この第２の紙押部材１８は、先端部３７ｂと、二股状脚部３４ｂ，３４ｂと、両脚部３４ｂ，３４ｂを連結する弾性連結部３６ｂとを主な構成要素とする。先端部３７ｂは先端側（図５において下側）に凸の扁平した半カプセル体であり、脚部３４ｂ、３４ｂは、先端部３７ｂの付け根に連なり基端側（図５の上側）に徐々に拡がるように離間している。両脚部３４ｂ，３４ｂの基端側部分及び弾性連結部３６は略同一厚さの薄いフレーム体であるが、先端部３７ｂはその裏面側に縦横のリブ４１，４２が形成されて厚くなっている。脚部３４ｂ，３４ｂの先端側部分は先端側に向けて徐々に厚みを増し、脚部３４ｂ、３４ｂの基端側部分と先端部３７ｂとをなだらかに繋いでいる。各脚部３４ｂの基端部の外側面に、側面視で十字状の取付軸３５ｂが外向きに突出形成され、この取付軸３５ｂは取付ブラケット２６の軸孔に挿通される。
【００５４】
各脚部３４ｂには、取り付け軸３５ｂの形成位置よりも基端側（図５の上側）に延在片３８ｂが延在して形成されており、この延在片３８ｂと前述の邪魔片２８ｂとの組み合わせが抜止手段として機能する。延在片３８ｂは、第２の紙押部材１８が傾いた姿勢においてスキャナ筐体１４の底面に臨む側（図５（ｂ）において左側）を少なくとも切り欠いた形状、詳しくは取付軸３５ｂの軸線よりも下半分のみに矩形板体を設けて構成されている。
【００５５】
弾性連結部３６ｂは、取付軸３５ｂの配設位置よりもやや先端寄りの位置で、両脚部３４ａ，３４ａの対向面同士を連結する。この弾性連結部３６ａは、先端側（図５の下側）に凸となる湾曲形状を有している。そして、弾性連結部３６ａの湾曲していない箇所に導入部３９ｂが基端側（図５の上側）に向けて連続的に形成され、この導入部３９ｂの端辺は長手方向に垂直な方向に関して平行でない。従って、第の紙押部材１８には、排紙方向（第１の紙押部材１７の長手方向）に垂直な端辺が全体として殆ど存在しないため、記録済用紙の端辺と第２の紙押部材１８とが線接触せず記録済用紙が痛まない。
【００５６】
前記構造を有する第２の紙押部材１８の取付手順を説明すると、組立作業者は、第２の紙押部材１８の両脚部３４ｂ，３４ｂを自然姿勢より互いに近づけるように撓ませ且つ水平姿勢を保ったまま、取付軸３５ｂ，３５ｂをそれぞれ対応する取付ブラケット２６の軸孔に挿通するだけで良い。さすれば、両脚部３４ｂ，３４ｂの撓み弾性力と弾性連結部３６ｂの持つ弾性付勢力とにより、両脚部３４ｂ，３４ｂは取付ブラケット２６に内側から強く押し付けられて保持される。すると、第２の紙押部材１８は自重により取付軸３５ｂ周りに傾動し、その先端部３７ｂが第２の凹所３３内に位置する。前述したように、第２の紙押部材１８の延在片３８ｂが取付軸３５ｂの軸線よりも下半分のみに矩形板体を設けた構成としているので、画像読取部２の底面２７に対して十分に大きな角度で傾く。したがって、排紙される記録済用紙は第２の紙押部材１８の下に確実に潜り込むことができ、さらに第２の紙押部材１８は軽量なフレーム体であるから記録済用紙は第２の紙押部材１８を押し上げて排紙方向に進む。その結果、第２の紙押部材１８は排紙される記録済用紙を十分な力で上から押えることができる。
【００５７】
この第２の紙押部材１８が傾いた姿勢では、正面視で、邪魔片２８と延在片３８ｂとが前後に重なり合う。こうして、使用者が、排紙トレイ１６上に集積された記録済用紙に正面開口から開放空間５に手をいれてアクセスし、その手が第１の紙押部材１８に当たって奥側に押したとしても、邪魔片２８と延在片３８ｂとが干渉して、軸孔から取付軸３５ｂが容易に抜け落ちない。
【００５８】
以上に本発明を好適に採用した実施形態について説明したが、本発明はこの実施形態に限定されない。一例として挙げると、第１及び第２の紙押部材１７，１８として同じ構造のものを採用することも本発明の範囲に含まれ、また第１の紙押部材１７を排紙方向下流側に適用し第２の紙押部材１８を排紙方向上流側に適用することも本発明の範囲に含まれる。
【符号の説明】
【００５９】
１  画像形成装置としての複合機
２  画像読取部
３  画像記録部
５  開放空間
１６  排紙トレイ
１７  第１の紙押部材
１８  第２の紙押部材
１９  シフト排紙手段
２６  支持部
２８  邪魔片
３２  第１の凹所
２２  第２の凹所
３４ａ，３４ｂ  脚部
３５ａ，３５ｂ  取付軸
３６ａ，３６ｂ  弾性連結部
３８ａ，３８ｂ  延在片
【図１】
0005445079.tif 000002
【図２】
0005445079.tif 000003
【図３】
0005445079.tif 000004
【図４】
0005445079.tif 000005
【図５】
0005445079.tif 000006
【図６】
0005445079.tif 000007
【図７】
0005445079.tif 000008